(57)【要約】【課題】本発明のユニットねじは、緩めていくとある所でネジが空回りし取付け部から抜けないという利点がある。【解決手段】ユニットねじは、雄ねじ部で構成され、取付金具は、この突起に方向を変えて挿入勘合する受話器支え板の切り抜きを一部連結して複数個設け、受話器ケースに受話器支え板の勘合する１つの切り抜きとが選択されて取付けられるために、ユニットねじの雄ねじ部とを螺合する谷径の雌ねじ部と、ユニットねじの雄ねじ部を収納する収容凹部とで構成され、上記収容凹部にまで達した第１の雄ねじ部は雌ねじ部を容易に通り抜けて元に戻れないので抜け止め防止となり、受話器支え板の連結した他の勘合する切り抜きに位置移動が可能となり、さらに再度の雄ねじ部が取付金具の谷径の雌ねじ部に螺合して締め付けられユニットねじが取付金具に固定される【選択図】図１
2007010089.tif 000002
【特許請求の範囲】
【請求項１】
ユニットねじは、先端に第１の雄ねじ部と、第１の雄ねじ部が一方に構成されるねじの欠除した連結部と、連結部の他方に構成される、第１の雄ねじ部と同一外形、同一ピッチを有する第２の雄ねじ部と、第２の雄ねじ部の他方に構成されユニットねじ自身を回転させるための大きな径とした回転操作部とで構成され、
取付金具は、受話器ケースに固定される固定部と、この固定部の受話器ケース外側への突起を有し、この突起に方向を変えて挿入勘合する受話器支え板の切り抜きを一部連結して複数個設け、受話器ケースに受話器支え板の勘合する１つの切り抜きとが選択されて取付けられるために、前部にユニットねじの第１の雄ねじ部及び第２の雄ねじ部とを螺合する谷径の雌ねじ部と、後部に第１の雄ねじ部が雌ねじ部を螺合の後、第１の雄ねじ部が進んで雌ねじ部を突き抜けた後の第１の雄ねじ部を収容できる収容凹部とで構成され、
上記収容凹部にまで達した第１の雄ねじ部は雌ねじ部を容易に通り抜けて元に戻れないので抜け止め防止となり、さらに受話器ケースと受話器支え板との固定が外れ、受話器支え板の連結した他の勘合する切り抜きに位置移動が可能となり、さらにユニットねじをユニットねじの回転操作部を回転させることで第２の雄ねじ部が取付金具の谷径の雌ねじ部に螺合して締め付けられることでユニットねじが取付金具に固定されるとなり、受話器ケースが受話器支え板の求める角度位置に締め付け固定されることを特徴としたユニットねじ抜け止め防止構造。
【請求項２】
ユニットねじは、先端にカギ状部と、上記カギ状部が一方に構成されるねじの欠除した連結部と、連結部の他方に構成される、雄ねじ部と、雄ねじ部の他方に構成され回転させるための大きな径とした回転操作部とで構成され、
取付金具は、受話器ケース各々に固定される固定部と、この固定部の受話器ケース外側への突起を有し、この突起に方向を変えて挿入勘合する受話器支え板の切り抜きを一部連結して複数個設け、受話器ケースに受話器支え板の勘合する１つの切り抜きとが選択されて取付けられるために、前部から後部にかけて、ユニットねじのカギ状部に勘合するカギ受け溝と、ユニットねじの雄ねじ部と螺合する内径の雌ねじを合わせユニットねじ螺合の後、カギ状部が進んでカギ受け溝を通り越した後カギ状部を自由に回動できるように収容できる収容凹部とで構成され、
上記収容凹部にまで達したカギ状部はカギ受け溝を容易に通り抜けて元に戻れないので抜け止め防止となり、さらに受話器ケースと受話器支え板との固定が外れ、受話器支え板の連結した他の勘合する切り欠きに位置移動が可能となり、さらにユニットねじをユニットねじの回転操作部を回転させることで雄ねじ部が取り付け金具の谷径の雌ねじ部に螺合して締め付けられることでユニットねじが取付金具に固定されるとなり、受話器ケースが受話器支え板の求める角度位置に締め付け固定されることを特徴としたユニットねじ抜け止め防止構造。
【請求項３】
ユニットねじは、先端に雄ねじ部と、雄ねじ部が一方に接続されるねじの欠除した連結部と、連結部の他方に接続される回転させるための大きな径とした回転操作部とで構成され、
取付金具は、受話器ケースに固定される固定部と、この固定部の受話器ケース外側への突起を有し、この突起に方向を変えて挿入勘合する受話器支え板の切り抜きを一部連結して複数個設け、受話器ケースに受話器支え板の勘合する１つの切り抜きとが選択されて取付けられるために、前部にユニットねじの雄ねじ部を螺合する第１及び第２の谷径の雌ねじ部と、後部に雄ねじ部が第１の雌ねじ部を螺合の後、雄ねじ部が進んで第１の雌ねじ部を突き抜けた後の雄ねじ部を収容できる収容空洞部とを備えて構成され、
収容空洞部にまで達した雄ねじ部は第１の雌ねじ部を容易に通り抜けて元に戻れないので抜け止め防止となり、さらに受話器ケースと受話器支え板との固定が外れ、受話器支え板の連結した他の勘合する切り抜きに位置移動が可能となり、さらにユニットねじの回転操作部を回転させることでユニットねじの雄ねじを第２の谷径雌ねじ部に螺合させて締め付けることでユニットねじが取付金具に固定されることとなり受話器ケースが受話器支え板の求める角度位置に締め付け固定されることを特徴としたユニットねじ抜け止め防止構造。
【発明の詳細な説明】
【技術分野】
【０００１】
本発明は、受話部への受話器ケースを取り付けるとき受話器支え板の向きを取付金具で規制しさらにユニットねじで固定するするようにして、受話器ケース取付け角度変更時のユニットねじの抜け止め防止を達成する構造に関するものである。
【背景技術】
【０００２】
従来、次のような要求があった。
（１）ユニットねじは、受話器ケースを受話器支え板（板金）に固定するために使用
（２）ユニットねじは手で緩めることが可能
（３）ユニットねじを緩めることにより受話器ケースの取付け方向を変更できる（要求仕様）
【０００３】
従来は、図１０で示すように抜け止め用Ｅリング等でユニットねじ抜けを防止していた。しかしＥリングを装着するには受話器ケースの組み立ての早い段階で、内側から行わなければならず、製作の工程を効率的に組むことができなかった。
【発明の開示】
【発明が解決しようとする課題】
【０００４】
解決しようとする問題点は、（１）ユニットねじを緩めることで受話器ケースの取付け方向を変更することができるが、緩めすぎたときにユニットねじが取付け部から抜けてしまい、ねじを無くしてしますことであった。
【課題を解決するための手段】
【０００５】
本発明は、ユニットねじの抜け防止のため次のような構成とした。
１方向（外方向）からのみの操作で可能にした。その他の特徴として次の３つの構造を創った。またねじを緩めても抜けないように次の構成とした。
（１）ユニットねじの雄ねじ部を同じ外形、ピッチの２段構成に間をねじのない連結部とした。
（２）（１）のユニットねじの第１の雄ねじ部の代わりにカギ状部とした。
（３）（１）のユニットねじの第２の雄ねじ部をなくし、取付金具の雌ねじ部の間に空洞凹部を設けた。
【０００６】
以下に前項の３種類の詳細構成は以下のとおりである。
（１）ユニットねじは、先端に第１の雄ねじ部と、第１の雄ねじ部が一方に構成されるねじの欠除した連結部と、連結部の他方に構成される、第１の雄ねじ部と同一外形、同一ピッチを有する第２の雄ねじ部と、第２の雄ねじ部の他方に構成されユニットねじ自身を回転させるための大きな径とした回転操作部とで構成され、
取付金具は、受話器ケースに固定される固定部と、この固定部の受話器ケース外側への突起を有し、この突起に方向を変えて挿入勘合する受話器支え板の切り抜きを一部連結して複数個設け、受話器ケースに受話器支え板の勘合する１つの切り抜きとが選択されて取付けられるために、前部にユニットねじの第１の雄ねじ部及び第２の雄ねじ部とを螺合する谷径の雌ねじ部と、後部に第１の雄ねじ部が雌ねじ部を螺合の後、第１の雄ねじ部が進んで雌ねじ部を突き抜けた後の第１の雄ねじ部を収容できる収容凹部とで構成され、
上記収容凹部にまで達した第１の雄ねじ部は雌ねじ部を容易に通り抜けて元に戻れないので抜け止め防止となり、さらに受話器ケースと受話器支え板との固定が外れ、受話器支え板の連結した他の勘合する切り抜きに位置移動が可能となり、さらにユニットねじをユニットねじの回転操作部を回転させることで第２の雄ねじ部が取付金具の谷径の雌ねじ部に螺合して締め付けられることでユニットねじが取付金具に固定されるとなり、受話器ケースが受話器支え板の求める角度位置に締め付け固定されることを特徴としたユニットねじ抜け止め防止構造。
（２）ユニットねじは、先端にカギ状部と、上記カギ状部が一方に構成されるねじの欠除した連結部と、連結部の他方に構成される、雄ねじ部と、雄ねじ部の他方に構成され回転させるための大きな径とした回転操作部とで構成され、
取付金具は、受話器ケース各々に固定される固定部と、この固定部の受話器ケース外側への突起を有し、この突起に方向を変えて挿入勘合する受話器支え板の切り抜きを一部連結して複数個設け、受話器ケースに受話器支え板の勘合する１つの切り抜きとが選択されて取付けられるために、前部から後部にかけて、ユニットねじのカギ状部に勘合するカギ受け溝と、ユニットねじの雄ねじ部と螺合する内径の雌ねじを合わせユニットねじ螺合の後、カギ状部が進んでカギ受け溝を通り越した後カギ状部を自由に回動できるように収容できる収容凹部とで構成され、
上記収容凹部にまで達したカギ状部はカギ受け溝を容易に通り抜けて元に戻れないので抜け止め防止となり、さらに受話器ケースと受話器支え板との固定が外れ、受話器支え板の連結した他の勘合する切り欠きに位置移動が可能となり、さらにユニットねじをユニットねじの回転操作部を回転させることで雄ねじ部が取り付け金具の谷径の雌ねじ部に螺合して締め付けられることでユニットねじが取付金具に固定されるとなり、受話器ケースが受話器支え板の求める角度位置に締め付け固定されることを特徴としたユニットねじ抜け止め防止構造。
（３）ユニットねじは、先端に雄ねじ部と、雄ねじ部が一方に接続されるねじの欠除した連結部と、連結部の他方に接続される回転させるための大きな径とした回転操作部とで構成され、
取付金具は、受話器ケースに固定される固定部と、この固定部の受話器ケース外側への突起を有し、この突起に方向を変えて挿入勘合する受話器支え板の切り抜きを一部連結して複数個設け、受話器ケースに受話器支え板の勘合する１つの切り抜きとが選択されて取付けられるために、前部にユニットねじの雄ねじ部を螺合する第１及び第２の谷径の雌ねじ部と、後部に雄ねじ部が第１の雌ねじ部を螺合の後、雄ねじ部が進んで第１の雌ねじ部を突き抜けた後の雄ねじ部を収容できる収容空洞部とを備えて構成され、
収容空洞部にまで達した雄ねじ部は第１の雌ねじ部を容易に通り抜けて元に戻れないので抜け止め防止となり、さらに受話器ケースと受話器支え板との固定が外れ、受話器支え板の連結した他の勘合する切り抜きに位置移動が可能となり、さらにユニットねじの回転操作部を回転させることでユニットねじの雄ねじを第２の谷径雌ねじ部に螺合させて締め付けることでユニットねじが取付金具に固定されることとなり受話器ケースが受話器支え板の求める角度位置に締め付け固定されることを特徴としたユニットねじ抜け止め防止構造。
【発明の効果】
【０００７】
本発明のユニットねじは、緩めていくとある所でねじが空回りし、取付け部から抜けないという利点がある。
【発明を実施するための最良の形態】
【０００８】
受話器ユニットの取付け方向を調整するという目的を、失敗することがない簡単な構成で可能にした。
【実施例１】
【０００９】
図１は、本発明の１実施例であって（ａ）は、ユニットねじを締めたときの図、（ｂ）は、ユニットネジを緩めたて受話器ケースの取付け方向を調整することができるときの図である。
図２の（ａ）は、取付金具の断面図、（ｂ）は、ユニットねじの図である。
図３の（ａ）は受話器カバーの図、（ｂ）は取付金具の図、（ｃ）はユニットねじの図、（ｄ）は受話器支え板の一部図である。
図４は、受話部への受話器ケースの組み立て図である。
図５は、受話部への受話器ケースの組み立て後の使用例である。（ａ）は受話器支え板が頭の後ろに配置される場合、（ｂ）は受話器支え板が頭の前に配置される場合、（ｃ）は受話器支え板が頭の上方に配置される場合である。受話器ケースは左右逆に構成するため、受話器支え板の切り抜きが図３（ｄ）と異なる方向の場合がある。
図６は、他の実施例であって、ねじ部の代わりにカギ状部を形成し、それにより抜け防止を達成したものである。
図７は、他の実施例である取付金具であって、（ａ）は、取付金具の背面図、（ｂ）は、平面図、（ｃ）は断面図である。
図８はユニットねじの図である。
図９は図７及び図８に表された取付金具及びユニットねじを締め付け及び緩めたときを示す図である。
図１０は従来のユニットねじの締め付け例である。
【００１０】
まず第１番目の実施例を説明する。図３（ａ）の受話器ケース４１に（ｂ）の取付金具２を固定ねじで取付けます。次に図１、図２、図３において受話器ケース４１の外側から見える取付金具の突起２１に受話器支え板３の切り抜きの１つである３１に合わせ、その後のユニットねじ１の第１の雄ねじ部１１を取付金具２の雌ねじ部２２に沿って回転操作部１４で回転させながら押す。第１の雄ねじ部１１が谷径の雌ねじ部を通り越し、収納凹部に到達すると螺合が開放される。
【００１１】
この状態ではユニットねじ１の第１の雄ねじ部１１が谷径の雌ねじ部２２を簡単には通れないのでユニットねじ１は取付金具２に抜けないで保持された状態となる。すると、図３（ｂ）、図１（ｂ）で示すように受話器ケースに固定された取付金具の（この例では）縦横の寸法を異ならせた突起に対し受話器支え板３の切り抜き３１又は３２どちらでもこの突起に合わせることができるよう移動可能である。
【００１２】
いま、受話器支え板３の切り抜き３１に取付金具２の突起２１を合わせ、次に回転操作部１４を回転し第２の雄ねじ部１３を内径の雌ねじ部２２に螺合して締め付けると図１（ａ）に示すようになる。
【００１３】
今度は、受話器支え板３の取付方向を変えるため、回転操作部１４を反時計方向に回転し第２の雄ねじ部１３を内径の雌ねじ部２２との螺合を解くと、図１（ｂ）の示すようになりユニットねじ１の第１の雄ねじ部１１が内径の雌ねじ部を通り抜けることはないので第１の雄ねじ部１１が収納凹部２３に留まるので受話器支え板３の切り抜き３２を取付け金具の突起２１に合わせた後、再度回転操作部１４を回転し第２の雄ねじ部１３を内径の雌ねじ部２２に螺合して締め付けると図１（ａ）に示すようになる（実際は受話器押さえ板３の向きが異なるが）。
【００１４】
次に、第２番目の実施例を説明する。図6において、受話器ケース４１に取付金具６を固定ねじで取付けます。次に受話器ケース４１の外側から見える取付金具の突起６１に受話器支え板３の切り抜きの１つである３１に合わせ、その後のユニットねじ５のカギ状部を取付金具２のカギ受け溝６２に沿って回転操作部５４で押す。カギ状部５１がカギ受け溝６２を通り越し、収納凹部に到達すると勘合が開放される。
【００１５】
この状態ではユニットねじ５のカギ状部５１がカギ受け溝６２を通れないのでユニットねじ５は取付金具から抜けないで保持された状態となる。すると、図６（ａ）で示すように受話器ケースに固定された取付金具の縦横の寸法を異ならせた突起が受話器支え板３の切り抜き３１又は３２どちらにも移動可能である。
【００１６】
いま、受話器支え板３の切り抜き３１に取付金具２の突起６１を合わせ、次に回転操作部１４を回転し第２の雄ねじ部１３を内径の雌ねじ部２２に螺合して締め付けると図６（ｄ）に示すようになる。
【００１７】
今度は、受話器ケース４１の取付方向を変えるため、回転操作部１４を反時計方向に回転し雄ねじ部５３を内径の雌ねじ部２２との螺合を解くと、ユニットねじ５のカギ状部５１が内径の雌ねじ部６３を通り抜けることはないのでカギ状部５１部が収納凹部２３に留まるので取付け金具の突起２１が受話器支え板３の切り抜き３２に合わせ、再度回転操作部１４を回転し雄ねじ部５３を内径の雌ねじ部
６２に螺合して締め付けると図１（ａ）に示すようになる（実際は受話器押さえ板３の向きが異なるが）。
【００１８】
次に第３番目の実施例を説明する。図７、図８、図９において、受話器ケース４１に取付金具８を固定ねじで取付けます。次に受話器ケース４１の外側から見える取付金具の突起８１に受話器支え板３の切り抜きの１つ３１に合わせ、その後ユニットねじ７の雄ねじ部７１を取付金具２の第１の雌ねじ部８２に沿って回転操作部１４で回転させる。雄ねじ部７１が第１の谷径の雌ねじ部を通り越し、収納空洞部８４に到達すると螺合が開放される。
【００１９】
この状態ではユニットねじ７の雄ねじ部７１が第１の谷径の雌ねじ部８２を戻れないのでユニットねじ７は取付金具８に抜けないで保持された状態となる。すると、図３（ｄ）、図７（ｂ）で示すように受話器ケースに固定された取付金具の縦横の寸法を異ならせた突起が受話器支え板３の切り抜き３１又は３２どちらにも移動可能である。
【００２０】
いま、受話器支え板３の切り抜き３１に取付金具２の突起８１を合わせ、次に回転操作部１４を回転し雄ねじ部７１を第２の内径の雌ねじ部８３に螺合して締め付けると図９（ａ）に示すようになる。
【００２１】
今度は、受話器ケース４１の取付方向を変えるため、回転操作部１４を反時計方向に回転し雄ねじ部７１を第２の内径の雌ねじ部８３との螺合を解くと、ユニットねじ７の雄ねじ部７１が第１の内径の雌ねじ部８２を通り抜けることはないので雄ねじ部７１が収納空洞部８４に留まるので取付金具の突起８１が受話器支え板３の切り抜き３２に合わせ、再度回転操作部１４を回転し雄ねじ部７１を第２の内径の雌ねじ部８３に螺合して締め付けると図９（ａ）に示すようになる（実際は受話器押さえ板３の向きが異なるが）。
【産業上の利用可能性】
【００２２】
上記では受話器ケースの取付け方向を変えるときにねじを緩めたときのねじ抜け防止をしたものであるが、受話器ケース以外でも本発明を適用することが可能である。
【図面の簡単な説明】
【００２３】
【図１】本発明の１実施例であって（ａ）はユニットねじを締めたときの図、（ｂ）はユニットネジを緩めたて受話器ケースの取付け方向を調整することができるときの図
【図２】（ａ）は取付金具の断面図、（ｂ）はユニットねじの図
【図３】（ａ）は受話器カバーの図、（ｂ）は取付金具の図、（ｃ）はユニットねじの図、（ｄ）は受話器支え板の一部図
【図４】受話部への受話器ケースの組み立て図
【図５】受話部への受話器ケースの組み立て後の使用例
【図６】他の実施例であって、ねじ部の代わりにカギ状部を形成し、それにより抜け防止を達成した構成図
【図７】他の実施例である取付金具であって、（ａ）は、取付金具の背面図、（ｂ）は、平面図、（ｃ）は断面図
【図８】ユニットねじの図
【図９】図７及び図８に表された取付金具及びユニットねじを締め付け及び緩めたときを示す図
【図１０】従来のユニットねじの締め付け例
【符号の説明】
【００２４】
１    ユニットねじ
１１  第１の雄ねじ部
１２  連結部
１３  第２の雄ねじ部
１４  回転操作部
２    取付金具
２１  突起
２２  谷径の雌ねじ部
２３  収容凹部
３    受話器支え板
３１  切り抜き
３２  切り抜き
４１  受話器ケース
４２  受話部
５１  カギ状部
５２  連結部
５３  雄ねじ部
５４  回転操作部
６３  カギ受け溝
７１  雄ねじ部
７２  連結部
７３  回転操作部
８１  突起
８２  第１の雌ねじ部
８３  第２の雌ねじ部
８４  収納空洞部
８５  固定ねじ孔
８６  固定部
【図１】
2007010089.tif 000003
【図２】
2007010089.tif 000004
【図３】
2007010089.tif 000005
【図４】
2007010089.tif 000006
【図５】
2007010089.tif 000007
【図６】
2007010089.tif 000008
【図７】
2007010089.tif 000009
【図８】
2007010089.tif 000010
【図９】
2007010089.tif 000011
【図１０】
2007010089.tif 000012